(57)【要約】足着用形態の成長刺激機器に関し、詳しくは、足に着用して睡眠中に足裏の前部に低周波による刺激がなされるようにし、かつ睡眠中の寝癖により脱去されることを防止して持続的な刺激がなされるようにし、歩行時にも足裏の前部に体重が集中して湧泉穴の指圧が持続的になされるようにすることによって、成長ホルモン分泌を促進させることができる成長刺激機器とする。【選択図】図１
2017501786.tif 000002
【特許請求の範囲】
【請求項１】
足裏の前部のみに接触する接触面が形成され、接触面には多数の刺激パッドが形成された外皮層と、前記外皮層の下部に一体に結合されてクッションを提供し、一側には多数の刺激パッドと電線が連結された連結端子を有する挿入口が形成されたクッション層で構成される本体と、
前記本体の挿入口に脱着可能に取り付けられ、内部にはバッテリー室と制御室が備えられて、供給された電源で低周波を発生させ、発生した低周波は挿入口の連結端子を通じて刺激パッドに伝達されるようにする制御ボックスと、
前記本体の上部面の両側から延長形成されて足の甲を覆いかぶせる上部蓋と、
前記上部蓋から後方に一体に連結され、伸縮材質で形成されて、踵にかかるように安着される係止バンドと、
を含んで構成される
ことを特徴とする足着用形態の成長刺激機器。
【請求項２】
前記制御ボックスには外部にオン・オフスイッチが設置されて作動がなされるようにし、
スイッチがオンモードに設定時、作動は休息区間と刺激区間が繰り返してなされる
請求項１に記載の足着用形態の成長刺激機器。
【請求項３】
前記オン・オフスイッチのオンモード時の作動は、第１休息区間、第１刺激区間、第２休息区間、第２刺激区間、第３休息区間、第３刺激区間に区分し、各刺激区間は２０分間低周波を発生させ、かつ、
前記低周波は第１刺激区間は５０μＡと１５０μＡを３０秒間隔で反復出力し、第２刺激区間は７５μＡと１２５μＡを３０秒間隔で反復出力し、第３刺激区間は１００μＡで出力がなされる
請求項２に記載の足着用形態の成長刺激機器。
【請求項４】
前記刺激パッドは、
本体の外皮層で足裏の前部中央の湧泉穴、足裏の前部で足の親指が連結される部分、足裏の前部で足の小指が連結される部分、及び足の親指の底面と接する部分の４個地点に形成され、
前記刺激パッドの上部面には指圧突起を形成して接する足裏を指圧する
請求項１に記載の足着用形態の成長刺激機器。
【請求項５】
前記上部蓋は、
本体上部面の両側で延長された第１蓋部及び第２蓋部と、前記第１蓋部と第２蓋部とを連結して上部蓋と本体との間の空間を調節する締め部を含んで構成される
請求項１に記載の足着用形態の成長刺激機器。
【請求項６】
前記係止バンドは、上部蓋の後方から下向き傾斜に延長されて踵の底面を覆いかぶせる底支持台と、前記底支持台の一側から後方に延長されて踵の後部を覆いかぶせる後面支持台で構成される
請求項１に記載の足着用形態の成長刺激機器。
【発明の詳細な説明】
【技術分野】
【０００１】
本発明は足着用形態の成長刺激機器に関し、より詳しくは、足に着用して睡眠中に足裏の前部に低周波による刺激がなされるようにし、かつ睡眠中の寝癖により脱去されることを防止して持続的な刺激がなされるようにし、歩行時にも足裏の前部に体重が集中して湧泉穴の指圧が持続的になされるようにすることで、成長ホルモン分泌を促進させることができる成長刺激機器に関する。
【背景技術】
【０００２】
人の身長に影響を及ぼす要因のうち、先天的要因は２３％、後天的要因は７７％という研究結果がある。ここで、先天的要因の場合は変えられない状況であるが、後天的要因は制御可能であるので、子供の身長を伸ばすためには父母の適切な管理が必要である。
【０００３】
一方、私達の体内で分泌されているホルモンは種類も多いが、その役割も無窮無盡である。ホルモンは一日の生体リズムを調節し、体水分量調節、食べ物摂取及び代謝、生殖、免疫、赤血球生産など、全般的な体内向上性維持と密接な関連があるので、少しでもホルモンの均衡が破れれば健康が維持され難い。そのうち、身長を伸ばすことに重要な役割をする成長ホルモンは非常にやかましいホルモンの一つで、肝で成長因子を作って体内の代謝作用を加速化させる作用をする。これは栄養、運動、睡眠など、身体環境によって敏感に分泌量が変化されるので、成長ホルモンが分泌できる条件をよく揃えてあげることが必要である。特に、成長ホルモンは深い睡眠をとる間、よりたくさん分泌される。睡眠は休息で、エネルギーで、かつ身長成長で必須不可欠な要素である。
【０００４】
例えば、睡眠時間の間、脳は一定のパターンの脳波を見せるが、脳波の波形を見ると、レム睡眠状態とノンレム睡眠状態が繰り返して表れることが分かる。前記レム睡眠とは、睡眠をとりながらも非意図的に瞳が動いて浅い睡眠をとる時をいい、ノンレム睡眠は瞳の動き無しで熟睡を取れる状態をいう。このような睡眠状態中、深い眠りに落ちて大きい声にも眠りから覚めないノンレム睡眠状態で成長ホルモン分泌量が増加することが知られてきた。
【０００５】
したがって、ノンラム睡眠状態で成長刺激点を通じて持続的に刺激を伝達することによって、成長ホルモンの分泌量が促進されるようにすることが必要である。
【０００６】
特許文献１（２０１３．０９．０５．登録、‘先行文献１’という）の成長刺激用足着用具は本発明人により考案されたものであって、低周波を発生させる刺激パッドを足裏の前部中央の湧泉穴と、足裏の前部で足の親指が連結される部分、足裏の前部で足の小指が連結される部分、足の親指の底面など、４箇所に形成された足着用具に対して提示した。前記先行文献１の足着用具は刺激パッドが形成された接触面を足裏に密着させるための手段としてベルクロバンドで形成された締結部を使用したが、足の甲を通じてのみ締結がなされて、着用者が睡眠中の寝癖時、足着用具が足から脱去される問題点が発生することがある。
【０００７】
特許文献２（２０１１．０５．３１．公開、‘先行文献２’という）の身体成長促進及び保健健康エネルギーチップ付着バンドは、伸縮性の高いバンドを足首に履く形態で、足首部位にエネルギーチップを内包してエネルギーチップにより足首部位を押圧して刺激がなされるものである。前記先行文献２は、挿入されたエネルギーチップの体積により足首部位の刺激がなされて、提供されるエネルギーに対する具体的な例示がないので、単純遠赤外線程度のものと判断されるので、低周波による効果を提供できない短所がある。
【０００８】
特許文献３（２００２．０３．０８．公開、‘先行文献３’という）の低周波マッサージ機能を備えた履き物は、インソールの上面に多数のパッチが付設されて、必要時、リモコンコントローラを通じて低周波を発生させて足マッサージが可能であるようにしたものである。前記先行文献３の履き物は、既存の常用の履き物の形態を有しているので、一般家庭で睡眠時に着用し難いという短所がある。
【先行技術文献】
【特許文献】
【０００９】
【特許文献１】韓国実用新案登録第２０−０４６８９９７号
【特許文献２】韓国公開特許第１０−２０１１−００５６６１３号
【特許文献３】韓国公開特許第１０−２０００−００５１４５８号
【発明の概要】
【発明が解決しようとする課題】
【００１０】
ここに、本発明の成長刺激機器は、睡眠中に足裏の前部に低周波刺激がなされて成長ホルモン分泌を促進させ、かつ寝癖による装置の脱去を防止して、持続的な低周波刺激がなされるようにする構造を有する装置を提供することをその目的とする。
【００１１】
また、本発明は成長刺激機器の底本体を前部のみ形成し、かつクッションの厚さを増加させて、歩行時、体重を足裏の前部に集中させて底本体の上面に形成された刺激パッドにより持続的に指圧がなされるようにすることをその目的とする。
【課題を解決するための手段】
【００１２】
前記の課題を達成するための本発明の成長刺激機器は、足裏の前部のみに接触する接触面が形成され、接触面には多数の刺激パッドが形成された外皮層と、前記外皮層の下部に一体に結合されてクッションを提供し、一側には多数の刺激パッドと電線が連結された連結端子を有する挿入口が形成されたクッション層で構成される本体と；前記本体の挿入口に脱着可能に取り付けられ、内部にはバッテリー室と制御室が備えられて、供給された電源で低周波を発生させ、発生した低周波は挿入口の連結端子を通じて刺激パッドに伝達されるようにする制御ボックスと；前記本体の上部面の両側から延長形成されて足の甲を覆いかぶせる上部蓋と；前記上部蓋から後方に一体に連結され、伸縮材質で形成されて、踵にかかるように安着される係止バンド；を含んで構成される。
【００１３】
前記制御ボックスには外部にオン・オフスイッチが設置されて作動がなされるようにし、スイッチがオンモードに設定時、作動は休息区間と刺激区間が繰り返してなされることができる。
【００１４】
また、前記刺激パッドは、本体の外皮層で足裏の前部中央の湧泉穴、足裏の前部で足の親指が連結される部分、足裏の前部で足の小指が連結される部分、及び足の親指の底面と接する部分の４個の地点に形成され、前記刺激パッドの上部面には指圧突起を形成して接する足裏を指圧することを特徴とする。
【００１５】
また、前記係止バンドは上部蓋の後方から下向き傾斜に延長されて足裏の後部を覆いかぶせる底支持台と、前記足裏支持台のうち、上部蓋部分から後方に延長されて踵の上部を覆いかぶせる背面支持台で構成できる。
【発明の効果】
【００１６】
前記解決手段による本発明の成長刺激機器は、係止バンドが形成されて着用者が睡眠中に寝癖が悪くても脱去されることを防止して、刺激パッドと足裏との接触を持続させて、設定された時間に制御ボックスで生成された低周波を最大限人体に伝達させて成長ホルモン分泌効能を極大化させることができる。
【００１７】
また、成長刺激機器の着用時、踵が底から一定高さ離隔することによって、歩行時、自ら踵を上げるようになって、体重が足裏の前部に集中するようにし、体重が集中した足裏の前部に位置する刺激パッドは、指圧突起が形成されるようにして、制御ボックスを作動させなくても指圧により刺激がなされてホルモン分泌を促進させることができる効果がある。
【図面の簡単な説明】
【００１８】
【図１】本発明の実施形態に係る足着用形態の成長刺激機器を示す斜視写真
【図２ａ】本発明に係る足着用形態の成長刺激機器の側面写真及び着用例示図
【図２ｂ】本発明に係る足着用形態の成長刺激機器の側面写真及び着用例示図
【図３】本発明に係る足着用形態の成長刺激機器の平面写真
【図４ａ】本発明に係る足着用形態の成長刺激機器の本体を示す平面図及び断面図
【図４ｂ】本発明に係る足着用形態の成長刺激機器の本体を示す平面図及び断面図
【図５】本発明に係る足着用形態の成長刺激機器の制御ボックスを示す斜視図
【図６】本発明に係る刺激パッドの他の実施形態を示す断面図
【発明を実施するための形態】
【００１９】
以下、添付の図面を参照して本発明をより詳細に説明する。
【００２０】
図１は本発明の実施形態に係る足着用形態の成長刺激機器を示す斜視写真であり、図２ａ及び図２ｂは本発明に係る足着用形態の成長刺激機器の側面写真及び着用例示図であり、図３は本発明に係る足着用形態の成長刺激機器の平面写真であり、図４ａ及び図４ｂは本発明に係る足着用形態の成長刺激機器の本体を示す平面図及び断面図であり、図５は本発明に係る足着用形態の成長刺激機器の制御ボックスを示す斜視図であり、図６は本発明に係る刺激パッドの他の実施形態を示す断面図である。
【００２１】
本発明に係る足着用形態の成長刺激機器１０は、左右一対が対称した形態を有するものであって、本発明では右側成長刺激機器を主対象にして詳細な説明及び図面を説明する。
【００２２】
前記成長刺激機器１０は、履き物形態の底面である本体２０と、前記本体に脱着可能に結合される制御ボックス３０と、前記本体の上部を覆う上部蓋４０と、前記上部蓋の後方を延長された係止バンド５０を含んで構成される。
【００２３】
まず、前記本体２０は一定厚さで形成されて一般の履き物のインソールと類似しているが、図示したように、ユーザの足裏のうち、足指を含んだ前部のみ接触する形態に提供される。このような本体２０は、一般的な履き物のインソールと比較すると、足裏の踵が安着する後部が除去された形態である前方端部から後方に２／３長さだけ形成された形態であり、厚さは１０〜２０ｍｍを有するようにして、着用後、正立すれば、踵が上げられて体重が前方に偏るようにする。併せて、前記足指を安置する部分も足の親指のみ形成され、残りの部分を除去するようにすることで、正立時、足の親指に荷重が集中するようにすることができる。これは、後述する刺激パッドによる指圧効果を極大化するためのものである。また、前記足の親指を安置する本体の前方端部には押され防止段２７を形成して、足の親指が本体上面を通じて前方に押されることを防止して、足の親指の定位置安着がなされるようにすることができる。
【００２４】
前記形態を有する本体２０は、図４ａ及び図４ｂを参照したように、ユーザの足裏が直接接する接触面である上部に革または軟らかい材質で形成した外皮層２１が形成され、前記外皮層の下部には一定厚さのクッション層２２が形成されて、正立時、底面からの衝撃を吸収するようにする。
【００２５】
併せて、図４ａ及び図４ｂを参照したように、前記本体２０には上部面である外皮層２１に多数の刺激パッド２３が設置される。前記刺激パッド２３は電流が流れることができる伝導体材質で形成され、外皮層を通じて表出される上面は広い面で形成されてユーザの足裏と接することができるようにし、刺激パッドの下部面は外皮層を通過するように長く突出し、突出した部分の一側には電線２４が連結されて電流が伝達されるようにする。前記刺激パッド２３の上面は直径を７〜１１ｍｍの範囲内に形成して、人体の足裏の接触面を十分提供することができ、前記刺激パッド２３の下部に突出した部分である連結部は一部がクッション層２２に内込されて固定できるように長く形成することができ、下部に突出した部分には環状の電線連結溝２３６を形成して電線が容易に巻取されて連結されるようにすることができる。併せて、前記クッション層２２は上部面に電線内込溝２２１を形成して刺激パッドと連結される電線を内込されるようにすることで、電線により外皮層が突出することを防止して、着用感を向上させることができる。
【００２６】
また、前記刺激パッド２３は、図４ｃを参照したように、人体の足裏と接する上部面が上側に突出した指圧突起２３５が形成できる。前記上部に突出する指圧突起２３５は、足裏を押圧して指圧がなされるようにしたものであって、刺激パッドの上部面で突出した長さは３〜８ｍｍ以内に形成して成長刺激機器を着用した状態で正立時、体重により指圧効果が提供されるようにする。特に、踵部分には成長刺激機器の本体がないので、正立時にはユーザが踵を上げるようになって、体重が足裏の前部に偏るので、指圧効果をより増大させることができる。
【００２７】
このような刺激パッド２３は、着用時、ユーザの足裏の前部中央である湧泉穴と接する第１刺激パッド２３１と、足裏の前部で足の親指が連結される部分と接する第２刺激パッド２３２と、足裏の前部で足の小指が連結される部分と接する第３刺激パッド２３３と、足の親指と接する第４刺激パッド２３４とで形成されて、電流が伝達されるようにすることができる。
【００２８】
前記湧泉穴は、足裏を長手方向に３等分した時、足指がある前方から１／３の地点の中央に位置するものであって、漢方医学では湧泉穴の神経が腎臓と関連していて湧泉穴を刺激すれば腎臓が刺激されて腎機能が強化されて背成長を促進すると知られている。また、足の親指部分は脳下垂体に該当する足反射区であって、刺激により成長ホルモン分泌を促進させることができる。以外に、足の親指と連結される足裏の前部は副甲状腺に該当する足反射区であり、足の小指が連結される部分は気管支と肺に該当する足反射区であって、各部を強化させて安らかな睡眠が維持できるようにして、成長ホルモン分泌が促進できる環境を提供する。
【００２９】
前記第１刺激パッド２３１は、直径を略１０ｍｍに形成し、第２から第４刺激パッド２３２〜２３４の直径は略７ｍｍに形成して低周波信号の伝達を受けて人体に刺激がなされるようにすることができ、前記第１刺激パッド２３１と第２から４刺激パッド２３２〜２３４に印加される低周波極性を互いに異なるようにして、電流印加による人体バランスを最大限維持するようにすることができる。例えば、第１刺激パッド２３１は“＋”極性の低周波を印加し、第２刺激パッドから第４刺激パッド２３２〜２３４は“−”極性の低周波を印加するものである。
【００３０】
併せて、前記本体２０にはクッション層２２の一側に挿入口２６が形成される。前記挿入口２６は後述する制御ボックス３０が内込されるものであって、高強度のプラスチックまたは金属性材質で内壁を形成して内込される制御ボックスが外部荷重により押圧されることを防止することができる。前記高強度の内壁を有する挿入口２６は、クッション層内に形成させるか、クッション層２２の上部面から下部に溝を形成して高強度の内壁を有する挿入口２６を安置した後、その上部に外皮層２１を積層して本体を形成する形態に提供できる。
【００３１】
また、前記挿入口２６の内面には制御ボックス３０と連結される連結端子２５が形成され、前記連結端子２５は第１から第４刺激パッド２３１〜２３４と電線２４により各々連結されて挿入口に内込される制御ボックスから伝達される低周波信号を各刺激パッドに伝達して人体刺激がなされるようにする。
【００３２】
次に、前記本体挿入口に内込される制御ボックス３０は、図５を参照したように、ボックス形態のボックス本体３１で構成され、前記ボックス本体内にはバッテリー室３２と低周波発生室３３に区画されてバッテリー装着と低周波発生器が組み込まれる。
【００３３】
また、前記ボックス本体の外面には接続端子３４が形成されて本体挿入口に制御ボックスの挿入時、本体挿入口の連結端子２５と接続端子３４が接して低周波信号を伝達するようにし、外部に表出される面にはオン・オフスイッチ３５が形成されてボタンクリックにより作動及び停止がなされて、オン・オフスイッチと近接した部分には作動するか否かを示すためのＬＥＤを含む照明表示部３６が形成される。
【００３４】
前記制御ボックスの低周波発生器３３１は、各種の制御がなされる制御部を含み、オン・オフスイッチ３５の操作信号が入力されれば、バッテリーから供給を受けた電源を低周波信号に変換させて接続端子３４に転送し、接続端子に転送された低周波は接続端子と接する本体挿入口の連結端子２５及び前記連結端子と連結された電線２４を通じて第１から第４刺激パッド２３１〜２３４に伝達されて身体の足裏に電気刺激がなされる。
【００３５】
前記制御ボックス３０ではオン・オフスイッチ３５がオン（on）モードの時、低周波信号が発生するようにするか、または、オンモード時、予め格納されたパターンにより低周波信号が発生するようにすることができる。この際、前記パターンは低周波を発生させる刺激区間と低周波が発生しない休息区間とに区分されることができ、刺激区間と休息区間の時間が調節されることができ、刺激区間時、加えられる低周波の出力強さも多様に変化させることができ、左右の足に加えられる刺激も同一な時間になされるようにするか、または互いに時間差をおいて刺激がなされるようにすることができる。前記左右両足を互いに異なる時間に設定すれば、順次的な低周波刺激がなされるので、ある一側のみ低周波刺激がなされて感覚集中による刺激効果をさらに増大させることができる。
【００３６】
即ち、オン・オフスイッチ３５のオンモード時の作動は、第１休息区間、第１刺激区間、第２休息区間、第２刺激区間、第３休息区間、第３刺激区間に区分し、各刺激区間は２０分間低周波を発生させるようにすることができる。前記第１休息区間は６０〜８０分に設定して、就寝後、速かにノンレム睡眠まで到達するように刺激がなされない区間である。また、第１休息区間の時間間隔を左右両足に互いに異なるように設定することによって、両足に時間差をおいて低周波刺激がなされるようにすることができる。一例に、前記各区間の時間は、第１休息区間は６０分または８０分に設定、第１刺激区間は２０分に設定、第２休息区間は１２０分に設定、第２刺激区間は２０分に設定、第３休息区間は１２０分に設定、第３刺激区間は２０分に設定して、総６時間または６時間２０分を１つのパターンに設定することができる。このように、刺激と休息を繰り返すことは、刺激により成長ホルモンを持続的に分泌されるようにし、成長ホルモン分泌が減れば、再刺激して成長ホルモン分泌促進がなされるようにしたものであって、刺激による睡眠妨害を最小化し、連続刺激による感覚低下により低周波刺激効果が微々たるものになることを防止するためのものである。
【００３７】
また、前記第１から第３刺激区間は、互いに異なる低周波出力による刺激がなされるようにすることができる。即ち、同一な低周波出力よりは互いに異なる出力により刺激がなされるようにすることで、多様な出力範囲により身体刺激がなされるようにすることができる。一例に、前記第１刺激区間は５０μＡと１５０μＡを３０秒間隔で反復出力し、第２刺激区間は７５μＡと１２５μＡを３０秒間隔で反復出力し、第３刺激区間は１００μＡで出力がなされるようにすることができる。前記低周波出力に変化を与えることを１つの出力パルスで刺激を加えれば、感覚が鈍って刺激効果が低くなることがあるので、出力範囲を変更しながら持続的な刺激が伝達されるようにして、持続的な成長ホルモンの生成がなされるようにするためのものであり、これに対する成長ホルモンが増加するか否かを確認した。また、このような前記低周波出力範囲は睡眠を妨害しない範囲である前記設定範囲より大きい範囲まで出力されることができ、前記５０μＡ以下では人体刺激が微弱であるので、５０μＡ〜２００μＡの範囲で低周波を出力して刺激がなされるようにすることが好ましい。
【００３８】
図１から図３を参照したように、本発明の上部蓋４０は本体の上部面の両側から延長形成されて人体の足の甲を覆いかぶせて足裏が本体の上部面と面接触するようにする。
【００３９】
また、前記上部蓋４０は多様な足の甲サイズに対応して伸縮可能な構造で提供されることが好ましい。例えば、本体の一側に連結された部分を長く延長し、他側は短く延長して、バックルやベルクロテープによる脱着がなされて、長さ調節により足が内込される内部空間のサイズが調節されるようにすることができ、図示したように、本体の両側で第１蓋部４１と第２蓋部４２を各々延長して足の甲を覆うことができるようにし、前記第１蓋部と第２蓋部の延長された端部は締め部４３により間隔が調節されるようにすることができる。
【００４０】
前記締め部４３は、一般的な靴紐方式により第１蓋部４１と第２蓋部４２の端部の間の間隔を調節するようにするか、またはワイヤーにより第１蓋部と第２蓋部とを互いに交差するように連結し、ワイヤーを締めロールに巻き取られる程度によってワイヤー長さを短くするか、または長く形成して、第１蓋部と第２蓋部の端部の間の間隔を調節するようにすることができる。
【００４１】
また、第１蓋部４１と第２蓋部４２との間に補助蓋部４４をさらに設置して、足の甲に安置されるようにすることで、第１蓋部と第２蓋部との間の広がっている隙間を通じて締め部の紐が足に直接に圧力を加えることを防止することができる。
【００４２】
併せて、足の親指が安置される部分も両端が本体に付着された補助蓋帯４５を形成して足の親指を定位置に位置させることによって、足の親指の底面と第４刺激パッド２３４が持続的な面接触を維持して第４刺激パッドを通じての低周波刺激がなされるようにする。
【００４３】
図２ａ及び図２ｂを参照したように、前記係止バンド５０は上部蓋４０の後面に一体に連結され、伸縮材質で形成されて人体の踵にかかるように安着される。
【００４４】
このような係止バンド５０は、人体着用後、就寝時、寝癖により成長刺激機器が足から脱去されることを防止して、就寝時間の間、足の重要部位に低周波刺激が伝達されるようにする。
【００４５】
前記係止バンド５０は、上部蓋４０の後方から下向き傾斜に延長されて踵の底面を覆いかぶせる底支持台５１と、前記底支持台の一側から後方に延長されて踵の後部を覆いかぶせる後面支持台５２が“Ｙ”字型に形成されて、踵にかかって固定されるようにすることができる。
【００４６】
このように、係止バンド５０の係止部分をＹ字型に分かれるようにしたことは、係止バンドが人体の足にかかる位置が可変されず、踵の一定位置に固定されるようにして、間隔が一定に維持されるようにしたものである。例えば、係止バンドが人体の足の後面である踵の後面または足首のみに位置する場合には、係止バンド５０は上部蓋が連結された部分をヒンジ点にして、上下位置移動がなされることができる。このような係止バンドの係止位置の移動は、引張力が作用する方向の変化がなされて、上部蓋と本体との間の人体の足が挿入される空間のサイズを変化させることができる。即ち、成長刺激機器の着用時、係止バンド５０の位置に合せて上部蓋の締め部を調節して、本体と足裏が面接触するようにするが、以後、係止バンドの係止位置が可変されれば、係止バンドが上部蓋を引っ張る方向が変化されて、上部蓋と本体との間の空間サイズが大きくなることがあり、このような空間が増大すれば、足裏と本体面との接触性が落ちて、低周波伝達率が落ちることがある。したがって、係止バンド５０をＹ字型に分かれた底支持台５１と後面支持台５２とで形成することによって、係止位置の可変を最小化して、本体と足裏との接触性を向上させることができる。
【００４７】
以上のような構成を有する成長刺激機器の作用状態を説明すると、成長刺激機器１０の本体２０と上部蓋４０との間の空間に足を挿入し、係止バンド５０を踵に固定させた後、上部蓋の締め部４３を調節して成長刺激機器を人体の足に密着させる。
【００４８】
成長刺激機器の着用が完了した後、制御ボックス３０のオン・オフスイッチ３５を作動させ、就寝がなされれば、制御ボックスは設定された間隔によって低周波を発生させて、第１刺激パッドから第４刺激パッド２３１〜２３４と接する人体の足裏に刺激を加える。前記成長刺激機器の作動時間の間、着用者が寝癖が悪くても上部蓋の締め部４３と係止バンド５０により成長刺激機器の脱着を防止することができる。
【００４９】
併せて、第１から第４刺激パッド２３１〜２３４に指圧突起２３５が形成された成長刺激機器を着用して歩行がなされれば、踵を支持するクッション層のない成長刺激機器の構造によって、着用者は踵を上げて歩行がなされる。このように、踵を上げた状態で歩行すれば、人体の体重は足の前部に集中して、前記第１から第４刺激パッド２３１〜２３４の指圧突起２３５に持続的な指圧がなされることで、低周波による刺激の以外にも指圧突起による極大化した刺激を受けることができる。
【００５０】
以上のように説明された添付図面は、本発明の技術的思想の内容と範囲を容易に説明するための例示であり、これによって本発明の技術的範囲が限定または変更されるものではない。また、このような例示に基づいて本発明の技術的思想の範囲内で多様な変形及び変更が可能であることは当業者には当然なことである。
【符号の説明】
【００５１】
１０    成長刺激機器
２０    本体
２１    外皮層
２２    クッション層
２３    刺激パッド
２４    電線
２５    連結端子
２６    挿入口
２７    押され防止段
２２１    電線内込溝
２３１〜２３４    第１から第４刺激パッド
２３５    指圧突起
２３６    電線連結溝
３０    制御ボックス
３１    ボックス本体
３２    バッテリー室
３３    低周波発生室
３４    接続端子
３５    オン・オフスイッチ
３６    照明表示部
３３１    低周波発生器
４０    上部蓋
４１    第１蓋部
４２    第２蓋部
４３    締め部
４４    補助蓋部
４５    補助蓋帯
５０    係止バンド
５１    底支持台
５２    後面支持台
【図１】
2017501786.tif 000003
【図２ａ】
2017501786.tif 000004
【図２ｂ】
2017501786.tif 000005
【図３】
2017501786.tif 000006
【図４ａ】
2017501786.tif 000007
【図４ｂ】
2017501786.tif 000008
【図５】
2017501786.tif 000009
【図６】
2017501786.tif 000010
【手続補正書】
【提出日】平成28年6月2日(2016.6.2)
【手続補正１】
【補正対象書類名】明細書
【補正対象項目名】００１８
【補正方法】変更
【補正の内容】
【００１８】
【図１】本発明の実施形態に係る足着用形態の成長刺激機器を示す斜視写真
【図２ａ】本発明に係る足着用形態の成長刺激機器の側面写真及び着用例示図
【図２ｂ】本発明に係る足着用形態の成長刺激機器の側面写真及び着用例示図
【図３】本発明に係る足着用形態の成長刺激機器の平面写真
【図４ａ】本発明に係る足着用形態の成長刺激機器の本体を示す平面図及び断面図
【図４ｂ】本発明に係る足着用形態の成長刺激機器の本体を示す平面図及び断面図
【図４ｃ】本発明に係る刺激パッドの他の実施形態を示す断面図
【図５】本発明に係る足着用形態の成長刺激機器の制御ボックスを示す斜視図
【手続補正２】
【補正対象書類名】明細書
【補正対象項目名】００２０
【補正方法】変更
【補正の内容】
【００２０】
図１は本発明の実施形態に係る足着用形態の成長刺激機器を示す斜視写真であり、図２ａ及び図２ｂは本発明に係る足着用形態の成長刺激機器の側面写真及び着用例示図であり、図３は本発明に係る足着用形態の成長刺激機器の平面写真であり、図４ａ及び図４ｂは本発明に係る足着用形態の成長刺激機器の本体を示す平面図及び断面図であり、図４ｃは本発明に係る刺激パッドの他の実施形態を示す断面図であり、図５は本発明に係る足着用形態の成長刺激機器の制御ボックスを示す斜視図である。
【手続補正書】
【提出日】平成28年11月15日(2016.11.15)
【手続補正１】
【補正対象書類名】手続補正書
【補正対象項目名】手続補正１
【補正方法】変更
【補正の内容】
【手続補正１】
【補正対象書類名】明細書
【補正対象項目名】００１８
【補正方法】変更
【補正の内容】
【００１８】
【図１】本発明の実施形態に係る足着用形態の成長刺激機器を示す斜視写真
【図２ａ】本発明に係る足着用形態の成長刺激機器の側面写真及び着用例示図
【図２ｂ】本発明に係る足着用形態の成長刺激機器の側面写真及び着用例示図
【図３】本発明に係る足着用形態の成長刺激機器の平面写真
【図４ａ】本発明に係る足着用形態の成長刺激機器の本体を示す平面図及び断面図
【図４ｂ】本発明に係る足着用形態の成長刺激機器の本体を示す平面図及び断面図
【図５】本発明に係る足着用形態の成長刺激機器の制御ボックスを示す斜視図
【図６】本発明に係る刺激パッドの他の実施形態を示す断面図
【手続補正書】
【提出日】平成28年11月16日(2016.11.16)
【手続補正１】
【補正対象書類名】明細書
【補正対象項目名】００１８
【補正方法】変更
【補正の内容】
【００１８】
【図１】本発明の実施形態に係る足着用形態の成長刺激機器を示す斜視写真
【図２ａ】本発明に係る足着用形態の成長刺激機器の側面写真及び着用例示図
【図２ｂ】本発明に係る足着用形態の成長刺激機器の側面写真及び着用例示図
【図３】本発明に係る足着用形態の成長刺激機器の平面写真
【図４ａ】本発明に係る足着用形態の成長刺激機器の本体を示す平面図及び断面図
【図４ｂ】本発明に係る足着用形態の成長刺激機器の本体を示す平面図及び断面図
【図４ｃ】本発明に係る刺激パッドの他の実施形態を示す断面図
【図５】本発明に係る足着用形態の成長刺激機器の制御ボックスを示す斜視図
【手続補正２】
【補正対象書類名】図面
【補正対象項目名】全図
【補正方法】変更
【補正の内容】
【図１】
2017501786.tif 000011
【図２ａ】
2017501786.tif 000012
【図２ｂ】
2017501786.tif 000013
【図３】
2017501786.tif 000014
【図４ａ】
2017501786.tif 000015
【図４ｂ】
2017501786.tif 000016
【図４ｃ】
2017501786.tif 000017
【図５】
2017501786.tif 000018
【国際調査報告】
2017501786.tif 000019
2017501786.tif 000020
2017501786.tif 000021
2017501786.tif 000022